(57)【要約】      （修正有）【課題】人体の曲面に沿ってローラーの位置変化が可能なマッサージ効果の高いマッサージ用具を提供する。【解決手段】棒状の握り柄を設けるとともに、握り柄の一端を二股に下垂させて下垂部とし、この下垂部間に、連結紐５にて複数個の球体ローラー４を環状に束ねた球体ローラー部６を設けたことを特徴とする。【選択図】図１
0003211995.tif 000002
【実用新案登録請求の範囲】
【請求項１】
棒状の握り柄を設けるとともに、該握り柄の一端を二股に下垂させて下垂部とし、この下垂部間に、連結紐にて複数個の球体ローラーを環状に束ねた球体ローラー部を設けたことを特徴とするマッサージ用ローラー具。
【請求項２】
下垂部の下垂方向を、握り柄上面に対し正面視において鋭角としてなる請求項１記載のマッサージ用ローラー具
【請求項３】
連結紐を伸縮性を有する素材にて形成してなる請求項１または２記載のマッサージ用ローラー具
【請求項４】
下垂部下端近傍に球体ローラーの着脱可能手段を設けてなる請求項３記載のマッサージ用ローラー具。
【考案の詳細な説明】
【技術分野】
【０００１】  この考案は、人体湾曲部位のマッサージに適した用具に関する。
【背景技術】
【０００２】  従来より、回転ローラーを有した人体用マッサージ用具が多用されているが、本案にて示すように、ローラー位置の変化機能を有したマッサージ用具は見当たらない。
【考案の概要】
【考案が解決しようとする課題】
【０００３】  肉体を過度に用いることにて血行不良現象が発生し、筋肉使用にて疲労物質としての乳酸が発生する。その象徴的な現象として肩こりがある。血行をよくすることにて肩こりの解消へとつながるため、従来手法として、入浴や肩たたきなどがよく行われている。
人体への刺激にて血行が改善されるのである。また、ローラーを有するマッサージ用具もよく用いられる。これは例えば、柄の先に複数個の転動可能なるローラーを設けて、柄を手に持ってこのローラーを人体部位にあてがい、このローラーを転動させることにて人体に刺激を与えて血行を改善するものである。
しかし、人体は曲面にて形成されており、この曲面に沿っての人体刺激が有効なのであるが、ローラー使用時における人体へのローラーのフィット感に欠けるものが大半であり、より有効なるマッサージ用具が求められている。
本案は以上に鑑み、ローラーの位置変化可能なるマッサージ用具を形成することにて、従来品よりマッサージ効果の高い新規かつ有用なるマッサージ具を提供することを目的として発案されたものである。
【課題を解決するための手段】
【０００４】  課題を解決する手段として本案は以下の構成とした。
すなわち、棒状の握り柄を設けるとともに、該握り柄の一端を二股に下垂させて下垂部とし、この下垂部間に、連結紐にて複数個の球体ローラーを環状に束ねた球体ローラー部を設ける。本案は以上の構成よりなるマッサージ用ローラー具である。
【考案の効果】
【０００５】  本案によれば、連結紐にて環状に形成された球体ローラー部を握り柄の下垂部に設けた構成なので、人体にこのローラー部を押圧接触させたときに、ローラーは人体曲面に沿って位置変化を起こすので、従来品に比べてより大きな接触面積を得ながらマッサージを行うことができ、より効果的にマッサージをすることができる。
なお、連結紐を適度の伸縮性を有する素材にて形成することにて、選択した人体部位に適した最良のマッサージ効果を得ることができる。
【図面の簡単な説明】
【０００６】
【図１】本考案の平面図
【図２】本考案の正面図
【図３】本考案の左側面図
【図４】本考案のローラー球連結説明図
【図５】本考案の他例説明図（一部略）
【図６】本考案の他例説明図（一部略）
【考案を実施するための最良の形態】
【０００７】  以下、本考案の実施形態について説明する。
図において、１は握り柄で、合成樹脂製の棒体であり、その一端は平面視略三角形状に広がるとともに二股に分かれて下垂した下垂部２を有している。この下垂部の下端近傍には孔３が各々穿設される。４はローラー球で、真球に近似した木製物であり、その中央には紐通し孔が穿設されている。このローラー球の孔には連結紐５が挿通され、本例では１２個のローラー球が連結紐にて環状に設けられている。前記の孔３には連結紐が挿通されて、図のごとく柄の下垂部に環状にローラー球が位置する状態となる。【０００８】  本案の使用に際しては、握り柄を手に持ち、球体ローラー部を人体に押圧接触させる。
このとき、ローラー部は図３の二点鎖線にて示すように位置が変化して人体曲面にフィットする状態となる。このまま柄を反復的に動かすことにてローラー部は人体曲面に沿ったまま転動して効果的に人体を刺激するために、よりマッサージ効果をアップさせることができる。【０００９】  図５および図６は本案の他例を示すものである。
これらの例は連結紐を下垂部に対し着脱可能としたものである。  図５では下垂部下端近傍に外方溝１０を設けて、この外方溝に連結紐をその引張力にて押圧保持させるものであって、連結紐には適度の伸縮性を有する素材、例えばゴムチューブ、コイルスプリング等を用いる。図５は保持状体で、この溝の位置と方向から、マッサージ作業を行ってもローラー部が溝から外れることはない。ローラー部を溝から外すには人力にて環状の連結紐を広げることにてこの紐を溝から外すことができる。【００１０】  図６の例は、前記の外方溝に代えて内方溝とした例である。この内方溝２０は、まず下垂部下方に内向きの溝を設け、この溝を略Ｌ形とし、図のごとく外方へ向かう突出部２１を設けたものである。この内方溝に連結紐を装着するには，指で環状の紐を広げて内方溝から挿入し、やや上方へ移行させた後、突出部の直上の凹部に位置させる。
この状態において、連結紐の縮む方向への力にてこの連結紐は前記凹部に押圧接触しており、マッサージ作業時にこの連結紐が下垂部から離脱することはない。
下垂部から連結紐を外すには、既述と逆の作業にて外すことができる。
以上の２例では、球体ローラー部を柄から分離することができるので、この球体ローラー部自体をマッサージ用具として用いることができる。【００１１】  以上、本案について記したが、本案は人体曲面に沿ったマッサージができるところにその特徴がある。従来は、柄に直接に口ーラーが取り付けられており、人体への押圧接触がダイレクトに伝わる方式であり、また、取り付けられているローラー数も多くはなく、マッサージ範囲が狭いものであった。
これに対し本案は、環状紐に複数個のローラーがつながれており、そのために人体への押圧接触面積と範囲が大きいので、一度の作業にて広範囲の箇所をマッサージすることができる。また、連結紐には若干の伸縮性があるので、押圧接触にてこのローラー配列は図３のように変化して、人体曲面にフィットするものとなる。【００１２】  図２にて示すように、下垂部は下降するにつれて厚さが減少しており、それゆえにたわみ効果が得られる。従って、紐の伸縮とこのたわみにて、人体へのソフトな押圧接触となって、自然なマッサージ効果が得られる。図２にては、柄に対して鋭角に下垂部が設けられており、マッサージの押圧にてこの鋭角が直角へと移行しつつその弾力を有効利用することができる。本案は環状の球体ローラー部としている。従って、マッサージ部分にまず環状のローラー部が押圧当接し、そのまま柄を動かすことによって、他方のローラー部が当接する二段マッサージを行うことができて、より効果的にマッサージをすることができる。【００１３】  図５と図６にて示した他例では、球体ローラー部は下垂部に対して着脱可能である。
ゆえに、例えばこの球体ローラー部を下垂部から外して床上に置き、足裏をのせてマッサージすることが可能である。あるいは、球体のサイズや材質を変えたものを用意しておけば、好みの球体ローラー部を装着して使用することができる。
以上のごとく、本案はより高いマッサージ効果とその応用が可能となる数々の特徴を有するものである。なお、本案はその構成から曲面的に顕著なるふくらはぎのマッサージにとりわけ適している。なお、既述の例は実施の一例であって近似の他の構成としてもよい。
以上のように、本案によってよりマッサージ効果を発揮することのできる有用なる物品を得ることができる。
【符号の説明】
【００１４】１    握り柄
２    下垂部
３    孔
４    ローラー球
５    連結紐
６    球体ローラー部
１０  外方溝
２０  内方溝
２１  突出部
【図１】
0003211995.tif 000003
【図２】
0003211995.tif 000004
【図３】
0003211995.tif 000005
【図４】
0003211995.tif 000006
【図５】
0003211995.tif 000007
【図６】
0003211995.tif 000008